(57)【要約】【課題】本発明は、バックライトユニット(BLU、Back Light Unit)の導光板入光部と該加工方法に関する。さらに、詳しくはバックライトユニットの導光板入光部近所で生じる輝線及び暗線の原因を緩和させ、均一な明るさを維持させるためのバックライトユニットの導光板において、輝線及び暗線を緩和させ得る入光部と、入光部面の加工方法に関するものである。【解決手段】導光板入光部の両角中、一方を鈍角から加工することによって一方の輝線をなくすことができ、導光板入光部の他の一方を、角を有さない曲線から加工することによって光の干渉量を緩和させ、鈍角の場合のように、光を分散させることができるため、導光板入光部の近所に生じ得る輝線と暗線とを取り除くことから、均一な明るさを持った画面が得られる。【選択図】図５
2007128834.tif 000002
【特許請求の範囲】
【請求項１】
導光板入光部の両角中、一方は鈍角であり、他の一方は、角を有さない曲線であることを特徴とするバックライトユニットの導光板入光部。
【請求項２】
導光板入光部の両角中、一方は鈍角で加工し、他の一方は、角を有さない曲線で加工することを特徴とするバックライトユニットの導光板における入光部の加工方法。
【請求項３】
前記導光板入光部の両角中、何れかの一方は、鈍角や円、又は角を有さない曲線から加工することから、光の干渉量を緩和させて、光を分散させることができることを特徴とする請求項２に記載のバックライトユニットの導光板における入光部の加工方法。
【発明の詳細な説明】
【技術分野】
【０００１】
本発明は、バックライトユニット(BLU、Back Light Unit)の導光板入光部と該加工方法に関する。さらに、詳しくはバックライトユニットの導光板入光部近所で生じる輝線及び暗線の原因を緩和させ、均一な明るさを維持させるためのバックライトユニットの導光板において、輝線及び暗線を緩和させ得る入光部と、入光部面の加工方法に関するものである。
【背景技術】
【０００２】
一般に、液晶ディスプレーシステムは、自ら発光を行えず、光を通過させるか、又は遮断する役割のみを奏する。よって、液晶ディスプレーシステムでは、一般に裏面より光を照射する装置を用い、裏面から光を発光平面化し照射せしめる装置をバックライトユニットという。
【０００３】
前記バックライトユニットには、パネルの裏面に発光源を位置させかつ照明すると、光が前面に出る直下方式と、パネルの側面に発光源を位置させ、照明した後、光の方向を誘導する導光板を経て光の角度を変更し、光が前面に出るようにするエッジ(ｅｄｇｅ)方式とがある。
【０００４】
前記エッジ方式は、直下方式より薄くて、軽いという長所をもっている。しかし、同じ電源を用いる場合、直下方式よりむしろ暗くて、光の分散が均一ではなく、発光源のあるところ、つまり入光部の近所に輝線(周りより非常に明るい線)、又は暗線(周りより非常に暗い線)が生じる短所をもっている。
【０００５】
図１は、従来技術による基本エッジ型バックライトユニットの構成を示す図面であり、図２は、従来技術による導光板の鋭角での光の進路を示す図面であり、図３は、従来技術による導光板の鈍角での光の進路を示す図面であり、図４は、従来技術による導光板入光部の両角部分を鈍角で加工した後、光の進路を示す図面である。
【０００６】
以下で、図１ないし図４を参照とし、エッジ方式のバックライトユニットの構成をさらに詳しく説明する。
【０００７】
エッジ型バックライトユニットは、発光源１が、一方或いは両方に取り付けられている構造からなり、発光源の光の一部は、直接導光板の入光部３を介して入り、他の一部は、発光源ハウジング兼反射板２の反射を介して導光板の入光部３へ入る。光は、極めて一部だけ直接出たり、再び導光板の底板のドット又はプリズム４に到達し、反射されて出るか、又は、反射板８により反射されて上面に送られるため、上方視、平面光に見えるようになっている。
【０００８】
この際、一部の光が、一方に集中され得るものの、これを補完するために拡散板７が用いられるが、限界を超えた場合、光の集中されたところに、輝線９が導光板の入光部近所に明瞭に発生したり、又は遠くなるほど微かに発生する。
【０００９】
この輝線９の発生原因としては、導光板入光部３の上方と下方との角に到達した光が導光板５の方に入る際、導光板５の角が９０°以下の鋭角である場合、図２のように光の集中現象により導光板５の上方(実際には両面に発生するが、裏面が直接見にくいため、上方面のみに生じるように見える)面に輝線９が見え、発光源から近い入光部の方ではさらにはっきりと見える。
【００１０】
これをさらに詳しく説明すると、光が導光板５から空気に出て行く際、 導光板５の材料が持っている光の臨界角以上(例えば、アクリル樹脂の場合、空気に対する屈折率は１.４９であって、臨界角は４２.２°)に入ってくると、直ちに空気面へ光が出る。しかし、光が、導光板５の材料が持っている光の臨界角又は臨界角より大きい値で入ってくると、導光板の面で反射されるため、光は出られなくなる。
【００１１】
実際、導光板内部へ入った光の反射を確認すれば、殆ど材料の空気に対する臨界角に近い光が到達すると、図２のように光の入る角が鋭角である場合、二つの光が接近し、明るくなる。しかしながら、図３のように光の入る角が鈍角である場合は、光が分散されるため、輝線が現れ得ない。
【００１２】
前述したように、導光板入光部の両角を全て鈍角で加工すれば、輝線が緩和され、図４のように既存の輝線が生じるという問題は解決できるが、加工により導光板入光部の中間に生じる角により、また他の輝線が生じ得るという問題点が発生する。
【００１３】
そして、前述した問題点を解決するべく拡散板７などを重ねることから、ある程度は補完できるが、該構造が複雑となるにつれ、コストアップを招く虞があった。さらに、同じ電源を用いても、あまり明るくない光を出させるという問題点をも抱えていた。
【発明の開示】
【発明が解決しようとする課題】
【００１４】
従って、本発明の目的は、前述したような問題点に鑑みて成されたものであって、バックライトユニットの導光板入光部の両角を鈍角や円又は曲線に加工することによって、発光源と発光源カバーとから出る光の干渉現象及び集中現象を少なくして、前記導光板に発生する輝線及び暗線をを最小化することから、全体面の輝度が上昇し、明るさを均一にすることが可能なバックライトユニットの導光板入光部及び該加工方法を提供することにある。
【課題を解決するための手段】
【００１５】
前述した本発明の目的は、導光板入光部の両角中、一方は鈍角であり、他の一方は、角を有さない曲線であることを特徴とするバックライトユニットの 導光板入光部及び該加工方法を提供することによって達成される。
【００１６】
特に、導光板入光部の両角のうちに、何れかの一方は、鈍角や円又は角を有さない曲線で加工することによって、発光源と発光源カバーとから出る光の干渉現象及び集中現象を減らし、導光板に生成される輝線及び暗線を緩和させることから、全体面の輝度が上昇され、明るさが均一になることを特徴とする。
【発明の効果】
【００１７】
前述したように、導光板入光部の両角中、 一方は鈍角に加工し、他の一方は、角を有さない曲線から加工することによって、導光板入光部の近所で生じ得る輝線及び暗線を取り除くことから、綺麗で、均一な明るさを持った画面が得られるという効果を奏する。
【発明を実施するための最良の形態】
【００１８】
以下、図面を参照として、本発明の一実施例をさらに詳しく説明する。図５は、本発明の好ましい一実施例による導光板鋭角部分を曲線にすることによって現れる光の分散を示す図面であり、図６は、本発明の他の好ましい一実施例による導光板鋭角部分を他の曲線にすることによって現れる光の分散を示す図面である。以下では、図５と図６とを参照として、本発明の導光板入光部に対してさらに詳しく説明する。
【００１９】
本発明は、図１ないし図４のように、従来技術の導光板入光部３を鈍角と鋭角、鈍角と鈍角で加工することによって発生する輝線９と暗線１０とを緩和させて、全体面の輝度を上昇させ、明るさが均一な画面を作製し得る技術であって、先ず、図５は、導光板入光部の両角中、上方を鈍角(９０°以上の角)で加工し、下方において、既存の鋭角(９０°以下の角)から、左側面は、角を有さない長曲線に加工し、底面は、角のない短曲線に加工した本発明の一実施例である。
【００２０】
図５のように加工された導光板入光部３を介して入る光１は、充分な距離をおいているため(Ｌ１＞Ｌ２＞Ｌ３)、集まる位置が遠くなるにつれ、輝線が弱くなることから、視覚的に区分しにくく、導光板入光部の左側面の長曲線部分に到達した光２は集まらず、分散により散らばることによって、光の干渉量を緩和させて、鈍角の場合のように、光を分散させることが可能であるため、輝線をなくすことができる。
【００２１】
次に、図６は、本発明の他の実施例であって、導光板入光部３の両角中、上方を鈍角(９０°以上の角)から加工し、下方において、既存の鋭角(９０°以下の角)から、左側面は、角のない短曲線に加工し、且つ底面は角のない長曲線に加工した。
【００２２】
図６のように加工された導光板入光部３を介して入る光１は、 充分な距離をおいているため(Ｌ１＞Ｌ２＞Ｌ３)、集まる位置が遠くなり、輝線が弱くなることから、視覚的に区分しにくく、導光板入光部の左側面の短曲線部分に到達した光２は集まらず、分散により散らばることによって、光の干渉量を緩和させ、鈍角の場合のように、光を分散させることが可能であるため、輝線をなくすことができる。
【００２３】
前記実施例等において、鋭角部分を、角のない長曲線と短長曲とで加工を行うことによって輝線をなくすことができたが、同じサイズの曲線で加工処理しても輝線をなくすことが可能であることは自明であろう。
【００２４】
以上で、本発明の好ましい実施例を説明したが、本発明は、様々変化と変更及び均等物を用いることができ、前記実施例を適宜に変形して同様に応用し得ることは明確である。従って、前記記載内容は、特許請求範囲の限界により定まる本発明の範囲を限定されるものではない。
【図面の簡単な説明】
【００２５】
【図１】従来技術による基本エッジ型バックライトユニットの構成を示す図面。
【図２】従来技術による導光板の鋭角での光の進路を示す図面。
【図３】従来技術による導光板の鈍角での光の進路を示す図面。
【図４】従来技術による導光板入光部の両角部分を鈍角で加工した後、光の進路を示す図面。
【図５】本発明の好ましい一実施例による導光板入光部の鋭角部分を曲線にすることによって現れる光の分散を示す図面。
【図６】本発明の他の好ましい一実施例による導光板入光部の鋭角部分を他の曲線にすることによって現れる光の分散を示す図面。
【符号の説明】
【００２６】
１  発光源
２  ハウジング兼反射板
３  導光板入光部
４  ドット又はプリズム
５  導光板
６  プリズムシート
７  拡散板
８  反射板
【図１】
2007128834.tif 000003
【図２】
2007128834.tif 000004
【図３】
2007128834.tif 000005
【図４】
2007128834.tif 000006
【図５】
2007128834.tif 000007
【図６】
2007128834.tif 000008